(57)【要約】【課題】  野縁受け固定金具６の高さ幅を短く形成して、上側ナット２１を野縁受け３の上面から突出しない状態で配設できるようにし、天井スペースの狭い天井下地構造であっても、新設、既設を問わず吊りボルトの下端部に野縁受け３を固定することができ、野縁受け３の側面を吊りボルト固定部６２が大きく拡開変形してしまうことを規制する傾動規制面として機能させ、その耐震性を向上する。【解決手段】  野縁受け固定金具６を、野縁受けの側面に面当てされる側面片６ａを介して、その一側に、側面視コ字状に形成せしめた野縁受け嵌装固定部６１と、その他側に、吊りボルト２の下端部側をナット固定されるＬ字状に折曲形成せしめた吊りボルト固定部６２とを備えて一体に並設せしめ、吊りボルト固定部６２を、上側ナット２１が野縁受け３の高さ幅となる側面領域内に配設可能に構成する。【選択図】        図５
2017218804.tif 000002
【特許請求の範囲】
【請求項１】
躯体天井部から所定の間隔を存して垂下される複数の吊りボルトと、該吊りボルトの下端部側に架設される複数の野縁受けと、該野縁受けに交差状に取着される野縁と、該野縁にビス固定される天井パネルを含む天井下地において、
野縁受けを吊りボルトの下端部側に取り付けするための野縁受け固定金具であって、
該野縁受け固定金具は、野縁受けの側面に面当てされる側面片を介して、その一側に、野縁受けを外嵌可能に折曲せしめた上面片と下面片を有して、側面視コ字状に形成せしめた野縁受け嵌装固定部と、その他側に、吊りボルトの下端部側を吊りボルト挿通孔に挿通せしめてナット固定されるよう、前記野縁受け嵌装固定部に背反してＬ字状に折曲形成せしめた吊りボルト固定部とを備えて一体に並設せしめ、
前記野縁受け嵌装固定部は、前記上面片と下面片とを、それぞれ野縁受けの横幅よりも広幅に延出せしめて、その先端部で外嵌した野縁受けをボルト締めにより挟持固定すべく構成する一方、
前記吊りボルト固定部は、その上下面を挟んで吊りボルトに螺入固定されるナットの上側ナットを、野縁受けの高さ幅となる側面領域内に配設可能に構成してあることを特徴とする野縁受け固定金具。
【請求項２】
請求項１において、前記吊りボルト固定部には、野縁受け嵌装固定部に外嵌した野縁受けを抜け止めするよう、前記野縁受け嵌装固定部の下面片と共に前記側面片の下部側を折曲し、かつ、野縁受けの下面先端に係合するよう折り返し形成せしめた野縁受け係合片を備えることを特徴とする野縁受け固定金具。
【請求項３】
請求項１または２において、前記野縁受け固定金具は、上下勝手違いの無い状態で野縁受けを固定可能に構成されていることを特徴とする野縁受け固定金具。
【請求項４】
請求項１乃至３の何れかにおいて、前記吊りボルト挿通孔は、野縁受けの側面に対して、上下ナットの周面を近接させて螺入固定可能に穿設配置されていることを特徴とする野縁受け固定金具。
【請求項５】
請求項１乃至４の何れかにおいて、前記野縁受けの側面領域は、傾動規制手段を介して前記吊りボルト固定部の傾動規制を行う傾動規制面として利用可能に構成されていることを特徴とする野縁受け固定金具。
【請求項６】
請求項５において、前記傾動規制手段は、吊りボルト固定用の上側または下側ナット、または、該上側または下側ナット或いは吊りボルトと野縁受けとの間に介在される側面片またはスペーサーであることを特徴とする野縁受け固定金具。
【請求項７】
請求項６において、前記スペーサーは、吊りボルトと前記側面片との間に介在できる幅を有し、上下ナットの上下面を被嵌するよう側面視コ字状の基部と、その先端側にそれぞれ延出され、吊りボルト側端部をその外径よりも外方に段差状に位置するよう基部よりも細幅なナット係止片と、該ナット係止片からＬ字状に折曲された把持片とを有して一体形成され、前記ナット係止片は、前記基部の先端と段差状の連設部分に穿設された孔を有する折曲部を介して形成され、該折曲部は、その折曲位置がナットの外径よりも後方位置に設けられていることを特徴とする野縁受け固定金具。
【発明の詳細な説明】
【技術分野】
【０００１】
本発明は、躯体天井部（天井スラブなど）と天井パネルとの間に形成される天井スペース（ふところ）の狭い天井下地構造においても、新設、既設を問わず吊りボルトの下端部に野縁受けを固定することができ、しかも、吊りボルトの下端部にナット固定される吊りボルト固定部の変形を防止して、その耐震性を向上することのできる野縁受け固定金具に関する。
【背景技術】
【０００２】
一般に、在来天井は、所定の間隔を存して躯体天井部（天井スラブなど）に垂下される複数の吊りボルトと、これら吊りボルト間の下端部に野縁受けハンガーや吊金具を介して支持されるチャンネル状の野縁受け（天井下地材）と、上方に開口する両側面部の上端内方に逆Ｕ字状溝を有し、野縁取付金具を介して野縁受けに取り付けされる複数のチャンネル状の野縁（天井下地材）と、野縁にビス止めされる天井パネルとから構成される。
ところで従来、かかる天井下地に採用される野縁受けハンガーや吊金具としては、垂下する吊りボルトの下端部に、ナット止め調整により上下位置調整可能に連結される側面視逆Ｌ字状の吊りボルト固定部と、野縁受けを上方から落とし込んで支持するようＵ字状の野縁受け支持部とが縦設して一体形成され、吊りボルトに対する野縁受けハンガーのナットの緊緩操作による位置変更によって、上下位置が調整されるようにした縦設タイプのものが知られている（特許文献１の図４、特許文献２の図５、図６参照）。
【０００３】
しかしながら、この様な縦設タイプの野縁受けハンガーは、野縁受けの高さ幅となる全体を野縁受け支持部に落とし込み支持する必要があり、野縁受けの高さ幅よりも長い深さを有して形成しなければならず、従って、吊りボルト固定部は、必然的に当該野縁受け支持部よりも上側に設けて、全体を側面視し字状の縦長に形成しなければならないという制作上の制約がある。このため、躯体天井部と天井パネルとの間に形成される天井スペースが狭い天井下地構造である場合に、例えば、吊りボルトに野縁受けハンガーをナット固定した状態で、野縁受けを野縁受け支持部へ落とし込むという作業が行なえなくなるため、採用することができないという問題がある。また、既設の天井下地に吊りボルトを増設施工したい場合に、天井スペースが通常の高さスペースを有していても、天井パネルと野縁受けとの隙間（野縁の高さ幅）が１９ｍｍと狭いため、野縁受けハンガーを当該隙間を横倒し状態で通過できるように、その横幅を１７、８ｍｍといった幅狭に形成することが強いられ、野縁受けに対する支持受け面域が細くなって、振動応力が集中してしまなどの所定の支持受け面域が得られないという耐震性に対する問題を有するばかりか、上下調整幅もこの幅狭内で行わなければならず、形成や施工に対する制約を受けるという問題があった。
【０００４】
一方、従来の野縁受けハンガーは、耐震性を向上するために、特許文献１に開示された如く、野縁受けの上方への抜け止めを規制する係止片（３ｃ）を設け、かつ、耐震補強金具（６）を別途設けるなどして、野縁受け支持部となるＵ字状部（３ｂ）の拡開を規制する必要がある。しかしながら、天井下地全体の荷重は、吊りボルト下端部がナット固定された吊りボルト固定部に加わる構造であるため、地震等の振動の受けると、その応力負荷が最も集中し、かつ、吊りボルト固定部が野縁受け支持部よりも上側で背反する偏芯位置でナット連結される構成となっており、その振幅も大きくなるだけでなく、変形規制する構成が全く存在しないため、共振作用による揺れの増幅などにより、逆Ｌ字状の吊りボルト固定部がく字状に延びる拡開変形と共に、吊りボルト下端部も湾曲変形を生じて、天井面全体の下降を招来し、最早適正な天井構造を維持することができない。
そこで、逆Ｌ字状の吊りボルト固定部を補強するために、特許文献２に開示されたものの如く、吊りボルト固定部の上板部（９）とＵ字状部の前板部（１１）を塞ぐ逆Ｌ字状の第２部材（７）を設けて、金具全体を矩形状に形成して上板部（９）の拡開変形を規制することで耐震補強することも提案されるが、このものは、上板部（９）が前板部（１１）側に折曲形成されているため、上記のような天井スペースが狭い天井下地の構造に採用することができないという問題がある。
【先行技術文献】
【特許文献】
【０００５】
【特許文献１】特開２０１０-１２１３７０号公報
【特許文献２】特開２０１３-０２３８５６号公報
【発明の開示】
【発明が解決しようとする課題】
【０００６】
本発明は、上記の如き問題点を一掃すべく創案されたものであって、吊りボルトに野縁受けを取り付けするための金具でありながら、野縁受け嵌装固定部と吊りボルト固定部とを並列して配設してあるので、両者を直列状に配設した従来のものに比し、その高さ幅を短く形成することができるだけでなく、吊りボルト固定部を挟んで吊りボルトを螺入固定する上側と下側のナットを、野縁受けの側面となる幅内面域に対向して近接配設できるようにし、天井スペースの狭い天井下地構造であっても、新設施工は勿論、既設天井に吊りボルトを増設施工する際にも、上下勝手のない状態で吊りボルトの下端部側に野縁受けを固定することができ、しかも、吊りボルト固定部が側面片を介して野縁受け嵌装固定部と一体化された剛性強度を有する並設構造によって形成され、地震等の振動を受けた際に、かかる並設構造と相まって、吊りボルト固定部の角部が野縁受けの側面に当接するだけでなく、吊りボルトの上側と下側のナットや側面片を、野縁受けの側面に直接的或いは間接的に当接する傾動規制手段として利用することができ、吊りボルト固定部が大きく拡開変形することを規制する規制面として機能させることができる野縁受け固定金具を提供することを目的とする。
【課題を解決するための手段】
【０００７】
上記課題を解決するために本発明の野縁受け固定金具は、躯体天井部から所定の間隔を存して垂下される複数の吊りボルトと、該吊りボルトの下端部側に架設される複数の野縁受けと、該野縁受けに交差状に取着される野縁と、該野縁にビス固定される天井パネルを含む天井下地において、野縁受けを吊りボルトの下端部側に取り付けするための野縁受け固定金具であって、該野縁受け固定金具は、野縁受けの側面に面当てされる側面片を介して、その一側に、野縁受けを外嵌可能に折曲せしめた上面片と下面片を有して、側面視コ字状に形成せしめた野縁受け嵌装固定部と、その他側に、吊りボルトの下端部側を吊りボルト挿通孔に挿通せしめてナット固定されるよう、前記野縁受け嵌装固定部に背反してＬ字状に折曲形成せしめた吊りボルト固定部とを備えて一体に並設せしめ、前記野縁受け嵌装固定部は、前記上面片と下面片とを、それぞれ野縁受けの横幅よりも広幅に延出せしめて、その先端部で外嵌した野縁受けをボルト締めにより挟持固定すべく構成する一方、前記吊りボルト固定部は、その上下面を挟んで吊りボルトに螺入固定されるナットの上側ナットを、野縁受けの高さ幅となる側面領域内に配設可能に構成してあることを特徴とするものである。
【発明の効果】
【０００８】
本発明は、上記のように構成したことにより、吊りボルトに野縁受けを取り付けするための金具でありながら、野縁受け嵌装固定部と吊りボルト固定部とを並列して配設してあるので、両者を直列状に配設した従来のものに比し、その高さ幅を短く形成することができるだけでなく、吊りボルト固定部を挟んで吊りボルトを螺入固定する上側と下側のナットを、野縁受けの側面となる幅内面域に対向して近接配設することができるだけでなく、当該面域内にダブルナットや防振ゴムをも配設することができるようになり、天井スペースの狭い天井下地構造であっても、新設施工は勿論、既設天井に吊りボルトを増設施工する際にも、上下勝手違いのない状態で吊りボルトの下端部側に、従来の縦列タイプのものと同様の作業性をもって野縁受けを固定することができ、しかも、吊りボルト固定部が側面片を介して野縁受け嵌装固定部と一体化された並設構造によって、金具自体の剛性強度を向上することができ、野縁受けの支持受け面域も必然的に広幅なものとなって、地震等の振動を受けた際に、かかる並設構造と相まって、吊りボルト固定部の角部が野縁受けの側面に当接するだけでなく、吊りボルトの上側と下側ナット、側面片やスペーサーを、野縁受けの側面に直接的或いは間接的に当接する傾動規制手段として利用することができ、野縁受けの側面を吊りボルト固定部が大きく拡開変形してしまうことを規制する傾動規制面として機能させることができる。その結果、吊りボルト固定部の共振作用による揺れの増幅などが抑止され、く字状に延びる拡開変形を防止することができ、従来の縦設タイプのものに比し、耐震強度や耐震性能を飛躍的に向上させることができるようになり、吊りボルトの垂下姿勢を長期に亘って好適に維持して、天井全体の重量を強固に支えて良好な吊持状態を恒久的に保持することができる。
【図面の簡単な説明】
【０００９】
【図１】本発明の実施形態に係る天井下地を示す概略全体説明面図である。
【図２】本発明の実施形態に係る野縁受け固定金具であって、（Ａ）は正面図、（Ｂ）は右側面図、（Ｃ）は平面図、（Ｄ）は底面図である。
【図３】本発明の実施形態に係る野縁受け固定金具の斜視図である。
【図４】吊りボルト固定部の傾動規制手段としてのスペーサーを示す斜視図である。
【図５】野縁受け固定金具を天井スペースの狭い天井下地に取り付けした状態を示す側面図である。
【図６】野縁受け固定金具を天井スペースの狭い天井下地に防振ゴムと共に取り付けした状態を示す側面図である。
【図７】既設の天井下地に増設される吊りボルトに野縁受け固定金具を取り付けした状態を示す正面図である。
【発明を実施するための最良の形態】
【００１０】
以下、本発明の実施の形態を好適な実施の形態として例示する野縁受け固定金具を図面に基づいて詳細に説明する。
図１は、本発明の実施形態に係る天井下地の概略全体説明図である。この図に示す天井下地には、躯体天井部１から所定の間隔を存して垂下される複数の吊りボルト２と、これら吊りボルト２間に野縁受け固定金具６を介して吊りボルト２の下端部に支持される野縁受け３（天井下地材）と、躯体天井部１と野縁受け３との間で吊りボルト２に振れ止め固定金具４１を介して水平状に架設される振れ止め４（天井下地材）と、野縁受け３に野縁取付金具５１を介して取り付けられる野縁５（天井下地材）と、野縁５にネジ固定される天井パネル７が含まれている。
【００１１】
野縁受け３は、板厚規格が約１．２ｍｍまたは１．６ｍｍの厚板材で形成された側方が開口する断面コ字状のチャンネル材またはＣ字状のリップ溝型材からなり、天井部に所定の間隔を存して並列状に割り付けされ、野縁受け固定金具６によって支持されると共に、吊りボルト２の先端部に取付けされる野縁受け固定金具６の位置変更によって、上下位置が調整される。このとき、野縁受け３は、図示しない躯体壁部に当接しない短めの長さに予め加工され、その両端部が野縁受け固定金具を介して躯体壁部に固定される。
【００１２】
野縁５は、その板厚規格が約０．５ｍｍの薄板材によって、上方に開口した両側部の上端を内方に折曲させて逆Ｕ字状溝５ａを形成したチャンネル材、または、リップ片を有するＣ字状のリップ溝型厚板材であり、野縁受け３と直交するように、天井部に所定の間隔を存して並列状に割り付けされる。野縁５としては、幅寸法が異なるダブル野縁やシングル野縁があり、それぞれに適合した形状の野縁取付金具５１を介して野縁受け３に対して、その下面部に逆Ｕ字状溝５ａが圧着した状態で支持される。なお、ダブル野縁とシングル野縁のそれぞれに高さ幅の異なる１９形（１９ｍｍ）と２５形（２５ｍｍ）とがあり、本実施例で示す野縁５は、シングル野縁の１９形である。そして、天井部に割り付けられた野縁５間に天井パネル７を渡し、これをネジ止めすることにより、天井下地が構成される。
【００１３】
振れ止め固定金具４１は、中央の吊りボルト２への吊りボルト固定部と、その両側に振れ止め４への嵌装固定部を有して側面視略コ字状に形成されている。
振れ止め４は、側方が開口する断面コ字状のチャンネル材からなり、吊りボルト２の間隔を維持するために複数の吊りボルト２間に水平状に架設される梁タイプとなっている。そして、振れ止め固定金具４１を、吊りボルト２と振れ止め４とを同時に嵌装することで両者が組み付け固定される。
【００１４】
野縁取付金具５１としては、図２に示す板厚が０．６ｍｍの板材によりプレス成型される指圧変形可能な薄板材で形成されるシングル固定タイプと、板厚が約１．２〜１．６ｍｍの板材によりプレス成型される指圧変形不能な厚板材にて形成され、主に耐震性が求められる天井下地に使用される挟込み固定タイプのものがあり、天井下地の仕様に応じて適宜選択して野縁受け３に取り付けられる。
野縁取付金具５１は、野縁受け３の側面に面当てされる野縁受け取付け部と、その下方に野縁５の開口内に延出された垂下部の両端側に、逆Ｕ字状溝５ａ内に挿入させて野縁５を支持受けする野縁支持受け部と、野縁受け３の上面側に野縁受け取付け部から延出形成された上固定片を備え、シングル固定タイプのものでは、上固定片を折曲して固定し、挟込み固定タイプのものは、野縁取付金具５１を組として野縁受け３を挟み込んで、野縁受け３の上面側で上固定片同士をビス固定することで取り付けされる。
【００１５】
次に、本発明の実施態様に係る野縁受け固定金具について、図２、図３を参照して詳細に説明する。図２の（Ａ）は野縁受け固定金具の正面図、（Ｂ）は同じく右側面図、（Ｃ）は平面図、（Ｄ）は底面図であり、図３は野縁受け固定金具の斜視図である。
これら図に示すように、野縁受け固定金具６は、板厚が約２ｍｍ程度の厚板材でプレス成型され、野縁受け３の側面に面当てされる側面片６ａを介して、その一側に、野縁受け３を外嵌可能に折曲せしめた上面片６１１と下面片６１２を有して、側面視コ字状に形成せしめた野縁受け嵌装固定部６１と、その他側に、吊りボルト２の下端部側を吊りボルト挿通孔６２ａに挿通せしめて上下ナット２１、２１にて挟み込み固定されるよう、野縁受け嵌装固定部６１に背反してＬ字状に折曲形成せしめた吊りボルト固定片６２１を有する吊りボルト固定部６２とを備えて一体に並設せしめて形成される。また、吊りボルト挿通孔６２ａは、野縁受け嵌装固定部６１側に片寄らせ、かつ、従来の縦設タイプのものに比し、上下側ナットの周面が野縁受けの側面に対して近接配置されるように側面片６ａ側に片寄らせて穿設され、地震等による揺れを受けた際に、吊りボルト固定片６２１の変形剛性を高めると共に、上ナット２１が直接的に野縁受け３の側面に、下ナット２１が側面片６ａを介して間接的に当接して、吊りボルト固定片６２１の傾動規制が行われ易く配設することが可能となり、拡開変形に対する防止効果を高めることができる。
【００１６】
野縁受け嵌装固定部６１は、上面片６１１と下面片６１２とを、それぞれ野縁受け３の横幅よりも広幅に延出せしめ、上面片６１１の先端部にナット孔６１ａが穿設され、下面片６１２の先端部にボルト挿通孔６１ｂがタップ孔加工されており、外嵌した野縁受け３を固定ボルト６１３によって締め付けすることにより、野縁受け３の上面と下面に圧着させて挟み込むことで、コ字状の開口側から抜け止め可能に挟持固定するように構成されている。また、側面片６ａの野縁受け嵌装固定部６１と吊りボルト固定部６２の連設部付近にネジ孔６ａ１が穿設され、野縁受け３に対して、必要において任意個所にドリルタッピングビス等のネジ９を用いて、ネジ固定可能となっている。
【００１７】
吊りボルト固定部６２は、吊りボルト固定片６２１を野縁受け嵌装固定部６１の略中央部位に折曲形成させ、さらに、側面片６ａの下部側を、野縁受け嵌装固定部６１の下面片６１２と共にＬ字状に折曲して、野縁受け３の下面先端に係合するよう折り返し形成せしめた野縁受け係合片６２２を備える。つまり、吊りボルト２の下部側が吊りボルト固定片６２１にその上下面を挟んで上側ナット２１と下側ナット２１を螺入固定した際に、両ナット２１、２１が、野縁受け３の高さ幅となる側面領域内に配設される構成となっており、野縁受け係合片６２２は、野縁受け３を野縁受け嵌装固定部６１に固定ボルト６１３による固定前のセット状態で仮固定される構成となっている。また、野縁受け係合片６２２の下面片には野縁受け３の横ズレ等を防止するためのビス孔６２ｂが穿設され、このビス孔６２ｂは、必要において任意個所にドリルタッピングビス等のネジ９を用いて野縁受け３の下面にネジ固定するために使用される。
【００１８】
図４は、吊りボルト固定片６２１（吊りボルト固定部６２）の傾動規制を行うに当たり、上側ナット２１を直接的な傾動規制手段として野縁受け３の側面に当接させる実施例によらず、上側ナット２１（その上面となる吊りボルト２を含む）と野縁受け３の側面との間に介在される別途部材としての傾動規制手段を配設させて、間接的に傾動規制を行えるようにしたスペーサー８を示す斜視図である。該スペーサー８は、吊りボルト２と側面片６ａとの間に介在できる幅を有し、上下ナット２１、２１の上下面を被嵌するよう側面視コ字状の基部８１と、その先端側にそれぞれ延出され、吊りボルト２側をその外径よりも端部が外方に段差状に位置するよう基部８１よりも細幅なナット係止片８２と、該ナット係止片８２からＬ字状に折曲された把持片８３を有して一体形成される。また、ナット係止片８２は、基部８１の先端と段差状の連設部分に穿設された孔を有する折曲部８２ａを介して折曲操作が行い易く形成され、折曲部８２ａは、その折曲位置がナット２１の外径よりも後方となる位置に設定されている。
【００１９】
つまり、ナット係止片８２は、上下ナット２１、２１を被嵌して取り付けした際に、基部８１が上下ナット２１、２１の緩みや外れ止め機能を有し、折曲部８２ａを介してナット係止片８２を把持片８３を手で摘んで内方（図中の矢印方向）に折曲することで、吊りボルト２の外径よりも外方となる上下ナット２１、２１の任意角度に応じて可変固定された外周角度面に当接され、ナット２１を廻り止め係止して回転規制できる機能を併せ持ち、両折曲部８２ａを把持して折曲操作が行い易くなっている。この様にスペーサー８を設けることにより、野縁受け３の側面を吊りボルト固定片６２１の拡開変形に対する傾動規制面として利用する際に、スペーサー８を介した間接的な傾動規制を行う規制部材として機能させて、ナット２１を直接的に当接する場合に比し、揺れに対する傾動角度を小さくできる。なお、この傾動角度を小さくするにあたっては、本実施例では、ナット２１が当接する側面片６ａが間接的な規制手段として機能し、或いは、上下をダブルナット２１にしても良く、要は、野縁受け３の側面を吊りボルト固定片６２１の拡開変形に対する傾動規制面として利用できる構成であればその形態は任意に設定することができる。
【００２０】
さて、上記のように構成した野縁受け固定金具６を用いて、野縁受け３を吊りボルト２の下部側に取り付けする手順について、図５、図６を参照して詳細に説明する。図５は天井スペースの狭い天井下地に取り付けした状態を示す側面図、図６は同じく防振ゴムと共に取り付けした状態を示す側面図である。これら図に示すように、本発明の実施態様に係る野縁受け固定金具６を取り付けするには、まず、各吊りボルト２に予め上側ナット２１を螺入しておき、吊りボルト２の下端部側を各吊りボルト挿通孔６２ａに挿通せしめて、吊りボルト固定片６２１を下側ナット２１間に挟み込んで野縁受け固定金具６を吊りボルト２に遊嵌状に全数仮セットする。
【００２１】
野縁受け固定金具６の吊りボルト２への本固定作業にあたっては、任意の２点間の吊りボルト２を選択し、吊りボルト固定部６２を上下調整してある程度の水平レベル出しを行った仮位置決め状態で、野縁受け３を、その下面側から野縁受け係合片６２２と下面片６１２に傾斜状に当てがって、野縁受け係合片６２２に野縁受け３の下面先端に係合した状態で、野縁受け３の上面側を上面片６１１側に回転させながら押し込んで嵌挿セットすることで、野縁受け３を野縁受け嵌装固定部６１に仮組付けする。この状態で、上側ナット２１と下側ナット２１の螺入操作により、各吊りボルト２に対して吊りボルト固定部６２を再度上下調整して、水平レベル出しや、セット位置決めなどの組み付け調整によるセット作業を行なって本固定する。
【００２２】
その後、ボルト挿通孔６１ｂに挿入した固定ボルト６１３をナット孔６１ａに締め付け操作して、野縁受け３を上面片６１１と下面片６１２間に挟持固定することで野縁受け嵌装固定部６１に本固定した後、ネジ孔６ａ１と６２ｂを介して、野縁受け３の側面と下面にネジ固定すれば、野縁受け３と野縁受け固定金具６とを強固に一体化した状態で取り付けでき、さらに、必要において最後にスペーサー８を嵌挿セットし、ナット係止片８２を折曲して取り付ければ、取付作業が完了し、従来の縦列タイプのものと何ら遜色なくセット作業を簡潔に行なうことができる。
なお、野縁受け固定金具６を交互に天地逆に配設することで、固定ボルト６１３と共に、野縁受け係合片６２２がその振動負荷をしっかりと受け止めて分担支持して耐震強度を向上することができ、また、側面片６ａを野縁受け３の開口側に配置させて取り付けする場合には、図示しないネジ９を長尺とする通しネジ（ドリルビスや締結ボルト）を用い、野縁受け３の側面に挿通してネジ固定すれば良い。
【００２３】
また、地震等による揺れを生じた際に、天井下地材への直接的な振動伝達を緩和規制することができるようにワッシャー付き防振ゴム２２を用いる場合は、吊りボルト固定片６２１を吊りボルト２の先端部に挿通する際に、上側防振ゴム２２を挿入しておき、吊りボルト固定片６２１を挿通後に、下側防振ゴム２２を挿入させて下側ナット２１の締め付け操作で防振ゴム２２、２２を圧縮させた状態でダブルナット止め固定すればよい。これにより、図６に示すように、上面片６１１が躯体天井部１の躯体面に近接し、両者間に余剰スペースが殆ど形成されない天井スペースの狭い天井下地であっても、上側ナット２１が上面片６１１よりも上側に大きく突出することなく、野縁受け３の側面となる面域幅内にダブルナットや防振ゴム２２をも配設することができるだけでなく、野縁５の下面と天井パネル７とのスペース域に吊りボルト２の先端や下側ナット２１の配設領域として利用することができ、かかるスペース領域を有効利用したコンパクトな納まりをもって取り付けすることができる。
【００２４】
この様に野縁受け３は、野縁受け固定金具６に対し、上面片６１１と下面片６１２とによる固定ボルト６１３の挟持固定と、野縁受け係合片６２２による係合構成により、並設された２個所で左右（長手）方向や傾き方向への回転ブレ規制が図られ、さらに、ネジ９を介して野縁受け３の側面と下面とが密着支持された状態で強固に一体化され、野縁受け３の位置ズレ規制がなされた密着状態が維持され、ねじれや傾動を受け止めて、組付け剛性強度が向上された耐震構造を得ることができるだけでなく、上下ナット２１、２１を、野縁受け３の高さ幅となる側面領域内に配設可能に構成されているので、吊りボルト固定片６２１（吊りボルト固定部６２）が、吊りボルト２を中心とした左右方向へ傾動する振動負荷を受けた際に、野縁受け３の側面に対して、上ナット２１を直接的に、下ナット２１を側面片６ａやスペーサー８を介して間接的に当接する傾動規制手段として機能し、共振作用による揺れの増幅などが規制され、く字状に延びる拡開変形を防止することができ、従来の縦設タイプの野縁受けハンガー３１のものに比し、耐震強度や耐震性能を飛躍的に向上させることができる結果、吊りボルト２の垂下姿勢を長期に亘って好適に維持して、天井全体の重量を強固に支えて良好な吊持状態を恒久的に保持することができる。
【００２５】
次に、既設の天井下地に吊りボルト２を増設して、野縁受け固定金具６を取り付けする手順について、図７を参照して詳細に説明する。この図に示すように、吊りボルト２間に野縁受けハンガー３１を介して支持される野縁受け３と、野縁受け３に野縁取付金具５１を介して取り付けられる野縁５と、野縁５にネジ固定される天井パネル７が含まれている既設の天井下地においては、野縁受け３と天井パネル７との間が野縁５の高さ幅（１９ｍｍ）分のスペースしか無く、下側からの固定ボルト６１３の螺入操作を行うことが難しいため、躯体天井部１に増設された吊りボルト２に、野縁受け固定金具６を取り付ける際に、野縁受け固定金具６を天地を逆にして用いるようにする。つまり、本実施形態における野縁受け固定金具６は、上下勝手違いのない状態で吊りボルト２の下端部側に取り付けすることができるようになっており、先ず、野縁受け固定金具６を既設の野縁受け３にセットする際に、上側ナット２１が螺入された吊りボルト２の先端部を吊りボルト挿通孔６２ａに挿入した状態で、縁受け嵌装固定部６１と野縁受け係合片６２２を野縁受け３の上面に傾斜状に係止して、上面片６１１を回転させながら、既設の野縁受け３の下面側に押し込んで嵌挿セットする。その後、吊りボルト２の基端部を躯体天井部１にアンカー等によつて固定し、上下側ナット２１を緊締操作して位置決め締め付け固定し、既設の野縁受け３に対して吊りボルト２と野縁受け固定金具６を順次同様に取り付けし、固定ボルト６１３を締め付け固定していけば増設作業が完了する。
【００２６】
叙述の如く構成された本発明の実施の形態において、いま、既設や新設の天井下地において、吊りボルト２の下端部側に野縁受け固定金具６を固定させ、この野縁受け固定金具６と野縁受け３とを組付け固定するのであるが、本発明にかかる野縁受け固定金具６は、野縁受け３の側面に面当てされる側面片６ａを介して、その一側に、野縁受け３を外嵌可能に折曲せしめた上面片６１１と下面片６１２を有して、側面視コ字状に形成せしめた野縁受け嵌装固定部６１と、その他側に、吊りボルト２の下端部側を吊りボルト挿通孔６２ａに挿通せしめてナット固定されるよう、野縁受け嵌装固定部６１に背反してＬ字状に折曲形成せしめた吊りボルト固定部６２とを備えて一体に並設せしめ、野縁受け嵌装固定部６１は、上面片６１１と下面片６１２とを、それぞれ野縁受け３の横（厚さ）幅よりも広幅に延出せしめて、その先端部で外嵌した野縁受け３をボルト締めにより挟持固定すべく構成する一方、吊りボルト固定部６２は、その吊りボルト固定片６２１の上下面を挟んで吊りボルト２に螺入固定されるナット２１、２１の上側ナット２１を、野縁受け３の高さ幅となる側面領域内に配設可能に構成されている。
【００２７】
この様に構成すると、吊りボルト２に野縁受け３を取り付けするための金具でありながら、野縁受け嵌装固定部６１と吊りボルト固定部６２とを並列して配設してあるので、両者を直列状に配設した従来のものに比し、その高さ幅を短く形成することができるだけでなく、吊りボルト固定部６２を挟んで吊りボルト２を螺入固定する上側と下側のナット２１、２１を、野縁受け３の側面となる幅内面域に対面して近接配設することができ、上側ナット２１を野縁受け３の上面から突出しない状態で配設させて、野縁受け３の上面を躯体天井部１に近接した施工が行えるだけでなく、当該面域内にダブルナットや防振ゴム２２をも配設することができるようになり、天井スペースの狭い天井下地構造であっても、新設施工は勿論、既設天井に吊りボルト２を増設施工する際にも、上下勝手違いのない状態で吊りボルト２の下端部側に、従来の縦列タイプのものと同様の作業性をもって野縁受け３を固定することができる。
【００２８】
しかも、吊りボルト固定部６２が側面片６ａを介して野縁受け嵌装固定部６１と一体化された並設構造によって、金具自体の剛性強度を高めることができ、野縁受け３の支持受け面域も必然的に広幅なものとなって、地震等の振動を受けた際に、かかる並設構造と相まって、吊りボルト固定部６２（吊りボルト固定片６２１）の角部が野縁受け３の側面に当接するだけでなく、吊りボルト２の上側と下側ナット２１、２１、側面片６ａやスペーサー８を、野縁受け３の側面に直接的或いは間接的に当接する傾動規制手段として利用することができ、野縁受け３の側面を吊りボルト固定部６２が大きく拡開変形してしまうことを規制する傾動規制面として機能させることができる。
その結果、吊りボルト固定片６２１の共振作用による揺れの増幅などが抑止され、く字状に延びる拡開変形を防止することができ、従来の縦設タイプの野縁受けハンガー３１のものに比し、耐震強度や耐震性能を飛躍的に向上させることができるようになり、吊りボルト２の垂下姿勢を長期に亘って好適に維持して、天井全体の重量を強固に支えて良好な吊持状態を恒久的に保持することができる。
【００２９】
また、吊りボルト固定部６１には、野縁受け嵌装固定部６１に外嵌した野縁受け３を抜け止めするよう、野縁受け嵌装固定部６１の下面片６１２と共に側面片６ａの下部側を折曲し、かつ、野縁受け３の下面先端に係合するよう折り返し形成せしめた野縁受け係合片６２２を備えるので、野縁受け係合片６２２を野縁受け３の下面先端に係合した状態で、野縁受け３の上面側を上面片６１１側に回転させながら押し込んで嵌挿セットすることで仮組付けすることができる。しかも、野縁受け係合片６２２は、地震等の揺れを受けて、野縁受け３が長手方向に振動を受けた際に、固定ボルト６１３と共に、その振動負荷をしっかりと受け止めて分担支持することができ、野縁受け３のガタツキや位置ズレなどの発生を防止することができる。
【００３０】
さらに、野縁受け固定金具６は、上下勝手違いの無い状態で野縁受け３を固定可能に構成されているので、野縁受け固定金具６を交互に天地逆に配設することができるようになり、吊りボルト固定部６２が野縁受け嵌装固定部６１（野縁受け３）と背反する偏芯位置でナット２１固定され、天井荷重が野縁受け３の上面側が固定ボルト６１３側に傾く方向に加わる状態を、野縁受け係合片６２２によって分担支持することができ、両者の共同作用により、振動負荷を長手方向に分散した状態でしっかりと受け止めて、ガタツキや位置ズレなどに対する更なる耐震強度の向上を図ることができ、野縁受け３が野縁受け嵌装固定部６１に密着した良好な状態を長期に亘って維持し保持することができる。
【００３１】
また、吊りボルト挿通孔６２ａは、野縁受け３の側面に対して、上下ナット２１、２１の周面を近接させて螺入固定可能に穿設配置されているので、吊りボルト２の上側と下側のナット２１、２１を、野縁受け３の側面に直接的或いは間接的に当接する際に、共振作用による傾動の増幅などを小さく抑えることができる。
【００３２】
また、野縁受け３の側面領域は、傾動規制手段を介して吊りボルト固定部６２の傾動規制を行う傾動規制面として利用可能に構成されているので、傾動規制手段を、吊りボルト固定用の上側または下側ナット２１、２１、または、該上側または下側ナット２１、２１或いは吊りボルト２と野縁受け３との間に介在される側面片６ａまたはスペーサー８とすることができる。
【００３３】
また、スペーサー８は、吊りボルト２と側面片６ａとの間に介在できる幅を有し、上下ナット２１、２１の上下面を被嵌するよう側面視コ字状の基部８１と、その先端側にそれぞれ延出され、吊りボルト２側端部をその外径よりも外方に段差状に位置するよう基部８１よりも細幅なナット係止片８２と、該ナット係止片８２からＬ字状に折曲された把持片８３とを有して一体形成され、ナット係止片８２は、基部８１の先端と段差状の連設部分に穿設された孔を有する折曲部８２ａを介して形成され、該折曲部８２ａは、その折曲位置がナット２１の外径よりも後方位置に設けられている。
この様に構成すると、スペーサー８は、基部８１を上下ナット２１、２１を被嵌して取り付けした際に、基部８１が上下ナット２１、２１の緩みや外れ止め機能を有し、折曲部８２ａを介してナット係止片８２を把持片８３を手で摘んで内方（図中の矢印方向）に折曲することで、ナット２１の外径よりも後方位置で、吊りボルト２の外径よりも外方となる上下ナット２１、２１の任意角度に応じて可変固定された外周角度面に当接され、ナット２１を廻り止め係止して回転規制できる機能を併せ持ち、折曲部８２ａを設けることによってその折曲操作を行い易くなっている。この様にスペーサー８を設けることにより、野縁受け３の側面を吊りボルト固定片６２１の拡開変形に対する傾動規制面として利用する際に、スペーサー８を介した間接的な傾動規制を行う規制部材として機能させて、ナット２１を直接的に当接する場合に比し、揺れに対する傾動角度を小さくでき共振作用による傾動の増幅などを抑止することができる。
【符号の説明】
【００３４】
１      躯体天井部
２      吊りボルト
２１    ナット
２２    防振ゴム
３      野縁受け
３１    野縁受けハンガー
４      振れ止め
４１    振れ止め固定金具
５      野縁
５ａ    逆Ｕ字状溝
５１    野縁取付金具
６      野縁受け固定金具
６ａ    側面片
６ａ１  ネジ孔
６１    野縁受け嵌装固定部
６１１  上面片
６１２  下面片
６１ａ  ナット孔
６１ｂ  ボルト挿通孔
６１３  固定ボルト
６２    吊りボルト固定部
６２１  吊りボルト固定片
６２２  係合片
６２ａ  ボルト挿通孔
６２ｂ  ビス孔
７      天井パネル
８      スペーサー
８１    基部
８２    ナット係止片
８２ａ  折曲部
８３    把持片
９      ネジ
【図１】
2017218804.tif 000003
【図２】
2017218804.tif 000004
【図３】
2017218804.tif 000005
【図４】
2017218804.tif 000006
【図５】
2017218804.tif 000007
【図６】
2017218804.tif 000008
【図７】
2017218804.tif 000009